(57)【要約】  スプリングダンパー、蓋板取付構造および洗濯機。スプリングダンパーは、ハウジング（１）と、前記ハウジング（１）に回動可能に取り付けられる回転軸（２）とを備え、前記回転軸（２）の前記ハウジング（１）内に位置する部位にスプリング（３）が嵌設され、前記スプリング（３）の一端が前記ハウジング（１）に固定される。前記スプリング（３）は、回転軸（２）の回動に伴って前記回転軸（２）を緊締したり解放するように構成される。【選択図】図１
2019529822.tif 000002
【特許請求の範囲】
【請求項１】
ハウジング（１）と、前記ハウジング（１）に回動可能に取り付けられる回転軸（２）とを備えるスプリングダンパーであって、前記回転軸（２）の前記ハウジング（１）内に位置する部位に、スプリング（３）が嵌設され、前記スプリング（３）の第１端が前記ハウジング（１）に固定連結され、前記スプリング（３）は、回転軸（２）の回動に伴って前記回転軸（２）を緊締したり解放するように構成される、スプリングダンパー。
【請求項２】
前記スプリング（３）の第１端に、前記回転軸（２）の径方向に沿ってハウジング（１）の内壁へ延在するスプリングアーム（３１）が設けられる、請求項１に記載のスプリングダンパー。
【請求項３】
前記ハウジング（１）の内壁に位置決め溝が設けられ、前記スプリングアーム（３１）が前記位置決め溝に挿着固定される、請求項２に記載のスプリングダンパー。
【請求項４】
前記回転軸（２）は、前記ハウジング（１）の内部に位置する大径柱部（２１）と、前記大径柱部（２１）に連結されかつ前記ハウジング（１）の開口を貫通する回転レバー部（２２）とを備える、請求項１または２に記載のスプリングダンパー。
【請求項５】
機体、蓋板および請求項１から４のいずれか１項に記載のスプリングダンパーを備え、前記回転軸（２）が前記機体に取り付けられ、前記ハウジング（１）が前記蓋板に連結される、蓋板取付構造。
【請求項６】
前記スプリング（３）は、前記蓋板が前記機体に対して開くと、前記回転軸（２）を徐々に解放させ、前記蓋板が前記機体に対して閉じると、前記回転軸（２）を徐々に緊締する、ように構成される、請求項５に記載の蓋板取付構造。
【請求項７】
前記機体に取付座が設けられ、前記取付座に取付穴が備えられ、前記回転軸（２）が前記取付穴を介して前記取付座に取り付けられる、請求項５または６に記載の蓋板取付構造。
【請求項８】
請求項５から７のいずれか１項に記載の蓋板取付構造を備える、洗濯機。
【発明の詳細な説明】
【技術分野】
【０００１】
本開示は、スプリングダンパー、蓋板取付構造および洗濯機に関する。
【背景技術】
【０００２】
例えば、洗濯機の蓋板の取付構造または便蓋の取付構造における回転機構において、通常、ダンパーを使用して蓋板をある方向にゆっくりと回動させる。洗濯機における上蓋を例とし、上蓋は、通常、急速に開かれた後にオイルダンパーによってゆっくりと閉じることができるように、オイルダンパーに連結される。このようにして、上蓋の閉じる際に洗濯機の本体を破損することを防止することができる。しかし、オイルダンパーにおけるオイルの存在は、構造の複雑さ、メンテナンスの不便性、およびメンテナンスコストを増加させる。
【発明の概要】
【課題を解決するための手段】
【０００３】
第１態様において、本開示は、ハウジングと、前記ハウジングに回動可能に取り付けられる回転軸とを備え、前記回転軸の前記ハウジング内に位置する部位に、スプリングが嵌設され、前記スプリングの第１端が前記ハウジングに固定連結され、前記スプリングは、回転軸の回動に伴って前記回転軸を緊締したり解放するように構成されるスプリングダンパーを提供する。
【０００４】
好ましくは、前記スプリングの第１端に、前記回転軸の径方向に沿ってハウジングの内壁へ延在するスプリングアームが設けられる。
【０００５】
好ましくは、前記ハウジングの内壁に位置決め溝が設けられ、前記スプリングアームが前記位置決め溝に挿着固定される。
【０００６】
好ましくは、前記回転軸は、前記ハウジングの内部に位置する大径柱部と、前記大径柱部に連結されかつ前記ハウジングの開口を貫通する回転レバー部とを備える。
【０００７】
第２態様において、本開示は、機体、蓋板および上記スプリングダンパーを備え、前記回転軸が前記機体に取り付けられ、前記ハウジングが前記蓋板に連結される蓋板取付構造を提供する。
【０００８】
好ましくは、前記スプリングは、前記蓋板が前記機体に対して開くと、前記回転軸を徐々に解放させ、前記蓋板が前記機体に対して閉じると、前記回転軸を徐々に緊締するように構成される。
【０００９】
好ましくは、前記機体に取付座が設けられ、前記取付座に取付穴が備えられ、前記回転軸が前記取付穴を介して前記取付座に取り付けられる。
【００１０】
第３態様において、本開示は、上記蓋板取付構造を備える洗濯機を提供する。
【発明の効果】
【００１１】
本開示に係るスプリングダンパーは、ハウジングと、前記ハウジングに回動可能に取り付けられる回転軸とを備え、前記回転軸の前記ハウジング内に位置する部位に、スプリングが嵌設され、前記スプリングの一端が前記ハウジングに固定され、それにより、前記回転軸と前記ハウジングとが互いに相対回転すると、前記スプリングは前記回転軸を緊締したり解放することができるため、スプリングが回転軸を緊締することにより、回転軸とハウジングとの間の動きに抵抗を生じさせ、ダンパー効果を得ることができる。スプリングをダンパー部材として使用することで、該スプリングダンパーは、構造が簡単で、メンテナンスしやすく、メンテナンスコストが低く、且つ、ダンパーオイルが不要となる。
【図面の簡単な説明】
【００１２】
【図１】本開示によるスプリングダンパーの構造模式図である。
【発明を実施するための形態】
【００１３】
以下、図面を参照しながら、本発明の具体的な実施形態について詳細に説明する。本開示の１つの態様によれば、スプリングダンパーを提供する。図１に示すように、スプリングダンパーは、ハウジング１と、ハウジング１に回動可能に取り付けられる回転軸２とを備える。回転軸２の一端はハウジング１の内壁に連結される。回転軸２のハウジング１内に位置する部位にスプリング３が嵌設される。好ましくは、スプリング３は回転軸２の軸方向に沿って回転軸２に嵌設される。スプリング３の第１端はハウジング１に固定される。回転軸２がハウジング１に対して回転すると、スプリング３は回転軸２を緊締したり解放する。すなわち、前記スプリング（３）は、回転軸（２）の回動に伴って前記回転軸（２）を緊締したり解放するように構成される。
【００１４】
上述したように、本開示に係るスプリングダンパーは、ハウジング１と、ハウジング１に回動可能に取り付けられる回転軸２とを備え、回転軸２のハウジング１内に位置する部位にスプリング３が嵌設され、スプリング３の第１端がハウジング１に固定され、それにより、回転軸２とハウジング１とが互いに相対回転すると、スプリング３は回転軸２を緊締したり解放することができるため、スプリング３が回転軸２を緊締することにより、回転軸２とハウジング１との間の動きに抵抗を生じさせ、ダンパー効果を得ることができる。スプリング３をダンパー部材として使用することで、該スプリングダンパーは、構造が簡単で、メンテナンスしやすく、メンテナンスコストが低く、且つ、ダンパーオイルが不要となる。
【００１５】
１つの実施例において、スプリング３の第１端は、回転軸２の径方向に沿ってハウジング（１）の内壁へ延在するスプリングアーム３１として形成することができ、スプリングアーム３１とハウジング１の内壁面とは互いに固定される。好ましくは、ハウジング１の内壁面に位置決め溝が設けられてもよく、スプリングアーム３１が位置決め溝に挿着固定されてもよい。スプリングアーム３１は、他の適当な連結方式によりハウジング１に固定されてもよい。
【００１６】
好ましくは、回転軸２は、ハウジング１の内部に位置する大径柱部２１と、大径柱部２１に連結されかつハウジング１を貫通する回転レバー部２２とを備える。好ましくは、前記ハウジング１に開口が設けられ、前記回転レバー部２２は前記ハウジング１の開口を介して延び出す。スプリング３は回転軸２の大径柱部２１に設けられる。回転レバー部２２の最大断面積は、大径柱部２１の最小断面積よりも小さい。
【００１７】
本開示の別の態様によれば、蓋板取付構造を更に提供する。蓋板取付構造は、機体、蓋板、および上記スプリングダンパーを備える。回転軸２は機体に取り付けられ、ハウジング１は蓋板に連結される。スプリング３は、蓋板が機体に対して開くと、回転軸２を徐々に解放させ、蓋板が機体に対して閉じると、回転軸２を徐々に緊締するように構成されてもよい。スプリング３は、回転軸２に時計回りに巻回され、または反時計回りに巻回されてもよい。スプリング３が反時計回りに大径柱部２１の外周面に巻回されて延在する設置方式により、蓋板が機体に対して開くと、スプリング３は回転軸２を徐々に解放させる。スプリング３が時計回りに大径柱部２１の外周面に巻回されて延在する設置方式により、蓋板が機体に対して開くと、スプリング３は回転軸２を徐々に緊締する。該蓋板取付構造は、洗濯機の蓋板取付構造または便座の蓋板取付構造とすることができ、蓋板５の閉じ速度が速すぎることで他の部材を破損することを防止できる。しかし、本開示はこれに限定されず、一方、スプリング３は、必ずしも蓋板が開くと回転軸２を徐々に解放させ、蓋板が閉じると回転軸２を徐々に緊締するように構成されるのではなく、ユーザーは蓋板を迅速に閉じ、蓋板をゆっくりと開く必要がある場合、スプリング３を、蓋板が開くと回転軸２を徐々に緊締し、蓋板が閉じると回転軸２を徐々に解放させるように構成してもよい。他方、該蓋板取付構造は、洗濯機の蓋板取付構造または便座の蓋板取付構造に限定されない。
【００１８】
好ましくは、機体に取付座が設けられ、取付座に取付穴が備えられ、回転軸２は取付穴を介して取付座に取り付けられてもよい。
【００１９】
本開示の別の態様によれば、洗濯機を更に提供する。該洗濯機は、上記蓋板取付構造を備え、機体は洗濯機主体であってもよく、蓋板は洗濯機の上蓋であってもよい。
【００２０】
明らかに、上記実施形態は、明確に説明するために作られた例に過ぎず、実施形態を限定するものではない。当業者にとって、上記説明の基に、他の異なる形式の変化または変動は可能である。ここでは、全ての実施形態を網羅することができず、その必要もない。これにより引き起こされた明らかな変化または変動は、依然として本開示が創造した保護範囲にある。
【符号の説明】
【００２１】
１      ハウジング
２      回転軸
３      スプリング
２１    大径柱部
２２    回転レバー部
３１    スプリングアーム
【図１】
2019529822.tif 000003
【国際調査報告】
2019529822.tif 000004
2019529822.tif 000005
2019529822.tif 000006
2019529822.tif 000007